(57)【要約】  【課題】  記録媒体の情報を指定時間のみ記録手段に記録できる情報記録装置を提供する。  【解決手段】  記録媒体６より読み出された情報の記録と、記録された情報の読み出しが可能な情報記録装置であって、記録媒体６より読み出された情報を任意な時間記録するよう指定する操作手段３と、操作手段３により指定された時間だけ記録媒体６の情報を記録する記録手段５とから構成したもので、記録媒体６に記録された情報を操作手段３により指定した時間だけ記録手段５に記録し、また読み出しができることから、情報記録装置を事前に検査する際、任意な時間を短時間に設定することにより、情報記録装置の検査が短時間で能率よく行えるようになり、これによって生産性の向上が図れる。【選択図】  図１
2005182908.tif 000002
【特許請求の範囲】
【請求項１】
記録媒体より読み出された情報の記録と、記録された前記情報の読み出しが可能な情報記録装置であって、前記記録媒体より読み出された情報を任意な時間記録するよう指定する操作手段と、前記操作手段により指定された時間だけ前記記録媒体の情報を記録する記録手段とを具備したことを特徴とする情報記録装置。
【請求項２】
複数のトラックに分けて前記記録媒体に記録された前記情報を、全トラックに対して指定時間、前記記録手段に記録するようにしてなる請求項１に記載の情報記録装置。
【請求項３】
複数のトラックに分けて前記記録媒体に記録された前記情報を、任意なトラックから選択して指定時間、前記記録手段に記録するようにしてなる請求項１に記載の情報記録装置。
【請求項４】
複数のトラックに分けて前記記録媒体に記録された前記情報を、前記トラックの頭から指定時間、前記記録手段に記録するようにしてなる請求項２または３に記載の情報記録装置。
【発明の詳細な説明】
【技術分野】
【０００１】
本発明はＣＤやＤＶＤ等の記録媒体に記録された音楽等の情報を記録する際、予め指定した時間だけ情報を記録することができる情報記録装置に関する。
【背景技術】
【０００２】
近年ＣＤやＤＶＤ等に記録された音楽等の情報を、ＨＤ（ハードディスク）や半導体メモリ等の記録手段に記録し、また記録手段に記録した情報を読み出し（再生）できるようにした情報記録装置が実用化されている。（例えば特許文献１参照）。
【０００３】
前記特許文献１に記載された「記録再生装置」は、記録手段に記録された多数の曲データを自動的にグループ分けして管理することにより、ユーザが煩わしい操作を行うことなく容易に楽曲の選択ができるように構成されている。
【０００４】
一方前記特許文献１に記載された「記録再生装置」のような情報記録装置を生産する現場では、情報記録装置が正常に機能するか否かの検査を事前に実施している。
【０００５】
その検査方法としては、例えば短時間の情報（曲データ）が記録された記録媒体を再生して記録手段に記録し、記録手段が記録した情報を読み出し（再生）して、記録／再生が正常に行われたかにより情報記録装置の良否を判定する方法が一般に採用されている。
【特許文献１】特開２００１−２９１３６５号公報
【発明の開示】
【発明が解決しようとする課題】
【０００６】
しかし従来の情報記録装置では、検査用記録媒体をトラック単位または記録媒体単位でしか記録できないことから、短時間の情報が記録された検査用記録媒体を使用して検査を行った場合でも、検査用記録媒体に記録された情報を記録手段に記録するのに多くの時間を必要とするため、情報記録装置の検査に時間がかかって作業能率が悪い等の問題がある。
【０００７】
また市販されているオーディオＣＤのように、各トラックに比較的長時間情報が記録されている記録媒体を検査用に使用した場合、さらに検査に時間がかかるため、市販されているオーディオＣＤを実際に使用して検査ができない等の問題もある。
【０００８】
本発明はかかる従来の問題を改善するためになされたもので、記録媒体の情報を指定時間のみ記録手段に記録できる情報記録装置を提供して、検査時間の短縮と、これに伴う生産性の向上を図ることを目的とするものである。
【課題を解決するための手段】
【０００９】
本発明の情報記録装置は、記録媒体より読み出された情報の記録と、記録された情報の読み出しが可能な情報記録装置であって、記録媒体より読み出された情報を任意な時間記録するよう指定する操作手段と、操作手段により指定された時間だけ記録媒体の情報を記録する記録手段とから構成したものである。
【００１０】
前記構成により、記録媒体に記録された情報を操作手段により指定した時間だけ記録媒体に記録し、また読み出しができることから、情報記録装置を検査する際、任意な時間を短時間に設定することにより、情報記録装置の検査が短時間で能率よく行えるようになり、これによって生産性の向上が図れると共に、市販されているオーディオＣＤのような記録媒体を検査用に使用して、より実用に即した検査が行えるため、検査精度も向上する。
【００１１】
本発明の情報記録装置は、複数のトラックに分けて記録媒体に記録された情報を、全トラックに対して指定時間、記録手段に記録するようにしたものである。
【００１２】
前記構成により、記録媒体の全てのトラックに対して記録／読み出し検査が行えるため、検査精度が向上すると共に、記録媒体の全てのトラックに対して記録／読み出し検査を行ったとしても、短時間で良否の判定が行えるようになる。
【００１３】
本発明の情報記録装置は、複数のトラックに分けて記録媒体に記録された情報を、任意なトラックから選択して指定時間、記録手段に記録するようにしたものである。
【００１４】
前記構成により、記録媒体の任意なトラックのみを任意な時間指定して記録手段に記録できることから、全トラックに対して任意な時間指定して記録する場合に比べて、さらに検査時間を短縮することができる。
【００１５】
本発明の情報記録装置は、複数のトラックに分けて記録媒体に記録された情報を、トラックの頭から指定時間、記録手段に記録するようにしたものである。
【００１６】
前記構成により、記録媒体のトラックの頭から指定時間のみ記録、読み出しが可能となることから、記録媒体の全てのトラックに対して記録／読み出し検査を行ったとしても、短時間で良否の判定が行えるようになる。
【発明の効果】
【００１７】
本発明の情報記録装置によれば、記録媒体に記録された情報を操作手段により指定した時間だけ記録手段に記録し、また読み出しができることから、情報記録装置を事前に検査する際、任意な時間を短時間に設定することにより、情報記録装置の検査が短時間で能率よく行えるようになる。
【発明を実施するための最良の形態】
【００１８】
本発明の実施の形態を、図面を参照して詳述する。
【００１９】
図１は情報記録装置のブロック図、図２はオーディオＣＤのような記録媒体をディスク記録（録音）による記録モードで記録する際の作用説明図、図３は同フローチャート、図４は記録媒体をトラック記録（録音）による記録モードで記録する際の作用説明図、図５は同フローチャートである。
【００２０】
図１に示す情報記録装置は、マイクロコンピュータよりなる制御手段１と、制御手段１により動作が制御される機構モジュール２と、制御手段１に操作情報等をキーにより入力する操作手段３と、記録時間や曲目等の情報を表示する表示手段４と、機構モジュール２より制御手段１へ送られた情報を記録し、また記録された情報の読み出し（再生）が可能なハードディスク（ＨＤ）や半導体メモリ等からなる記録手段５より構成されている。
【００２１】
一方市販されているオーディオＣＤ等の記録媒体には、図２に示すようにトラック（ＴＲＡＣＫ）Ｔ１，Ｔ２，Ｔ３…毎に異なる情報（曲データ）が記録されており、この市販の記録媒体を検査用記録媒体６に使用して前記情報記録装置を検査する方法を図３に示すフローチャートを参照して説明する。
【００２２】
図３に示すフローチャートは、検査用記録媒体６をディスク記録による記録モードで情報記録装置の記録／読み出しが正常に行われるかを判断するようにしたもので、まず情報記録装置の機構モジュール２に検査用記録媒体６をセットしたら、操作手段３から任意な記録時間、例えば１０秒を入力し、情報の記録を開始する。
【００２３】
制御手段１はフローチャートのステップＳ１で、記録モードに対して任意な時間が指定されているかを判断し、時間指定が行われている場合はステップＳ２へ進み、行われていない場合はステップＳ７へ進む。
【００２４】
ステップＳ２では、各トラックＴ１の頭から図２に示すように指定時間の１０秒間のみを記録手段５へ記録し、ステップＳ３へ進む。
【００２５】
ステップＳ３では、指定時間記録手段５へ情報が記録されたかを判断し、指定時間が経過した場合はステップＳ４へ進んで記録終了処理を行った後ステップＳ５へ進む。
【００２６】
ステップＳ５では、全トラックＴ１，Ｔ２，Ｔ３…の記録が終了していない場合はステップＳ３へ戻って、ステップＳ３からＳ５までのフローを繰り返す。
【００２７】
これによって記録手段５には、検査用記録媒体６の各トラックＴ１，Ｔ２，Ｔ３…の頭から指定時間の１０秒間のみの情報が記録されることになり、全てのトラックＴ１，Ｔ２，Ｔ３…の情報が記録されたところで記録手段５への記録が完了する。
【００２８】
また、設定されている指定時間が、所定のトラックに記録されている情報の記録時間よりも長い場合、ステップＳ６で前記所定のトラックの最後まで記録が終了したことが検出された時点で、ステップＳ３での指定時間の経過の判定を待つことなくステップＳ４へ進み、そのトラックに関する記録を終了する。
【００２９】
一方ステップＳ１で時間指定をしてない場合は通常記録（録音）と判定されてステップＳ７へ進み、検査用記録媒体６の各トラックＴ１，Ｔ２，Ｔ３…の全情報が記録手段５へ記録され、ステップＳ８でトラックＴ１，Ｔ２，Ｔ３…の全ての情報が記録されたと判定されたところで記録手段５への記録が完了する。
【００３０】
以上の工程において検査用記録媒体６の各トラックＴ１，Ｔ２，Ｔ３…の情報が頭から指定時間正常に記録されたのを確認したら、情報記録装置を読み出し（再生）モードにして記録手段５に記録された情報を読み出し、記録された情報が正常に読み出し（再生）できれば、記録／読み出しに異常がないとしてディスク記録検査による検査を終了するもので、検査用記録媒体６の各トラックＴ１，Ｔ２，Ｔ３…の頭から指定時間のみ記録、読み出しが可能となることから、記録媒体の全てのトラックに対して記録／読み出し検査を行ったとしても、短時間で良否の判定が行えるようになる。
【００３１】
また市販されているオーディオＣＤ等が検査用記録媒体６として使用できることから、より実用に即した検査が行えるため、検査精度も向上する。
【００３２】
以上は検査用記録媒体６の全トラックＴ１，Ｔ２，Ｔ３…について指定時間記録を行うディスク記録による記録モードで検査を行う方法について説明したが、任意なＴ１，Ｔ２，Ｔ３…のみを指定するトラック記録による記録モードで検査を行う方法を、図４及び図５を参照して説明する。
【００３３】
図５に示すフローチャートは、検査用記録媒体６をトラック記録による記録モードで、情報記録装置の記録／読み出しが正常に行われるかを判断するもので、まず情報記録装置の機構モジュール２に検査用記録媒体６をセットしたら、操作手段３から任意なトラック番号、例えばトラックＴ２と、任意な記録時間、例えば１０秒を入力し、情報の記録を開始する。
【００３４】
制御手段１はフローチャートのステップＳ１で、記録モードに対して任意なトラック及び任意な時間が指定されているかを判断し、トラック指定及び時間指定が行われている場合はステップＳ２へ進み、行われていない場合はステップＳ６へ進む。
【００３５】
ステップＳ２では指定されたトラックＴ２の頭から図４に示すように指定時間の１０秒間のみを記録手段５へ記録し、ステップＳ３へ進む。
【００３６】
ステップＳ３では、指定トラックＴ２の情報が指定時間記録手段５へ情報が記録されたかを判断し、指定時間が経過した場合はステップＳ４へ進んで記録終了処理を行った後、記録手段５へのトラック記録を完了する。
【００３７】
また、設定されている指定時間が、指定トラックに記録されている情報の記録時間よりも長い場合、ステップＳ５で上記指定トラックの最後まで記録が終了したことが検出された時点で、ステップＳ３での指定時間の経過の判定を待つことなくステップＳ４へ進み、指定トラックに関する記録を終了する。
【００３８】
一方ステップＳ１で時間指定をしてない場合は通常記録（録音）と判定されてステップＳ６へ進み、記録媒体６の指定トラックＴ２の全情報が記録手段５へ記録され、情報が記録されたところで記録手段５への記録が完了する。
【００３９】
以上のように各記録モードにより検査用記録媒体６の各トラックＴ１，Ｔ２，Ｔ３…の情報が頭から指定時間正常に記録されたのを確認したら、情報記録装置を読み出し（再生）モードにして記録手段５に記録された情報を読み出し、記録された情報が正常に読み出し（再生）できれば記録／読み出しに異常がないとしてディスク記録検査による検査を終了するもので、検査用記録媒体６の各トラックＴ１，Ｔ２，Ｔ３…の頭から指定時間のみ記録、読み出しが可能となることから、記録媒体の全てのトラックに対して記録／読み出し検査を行ったとしても、短時間で良否の判定が行えるようになる。
【００４０】
またディスク記録による記録モードのときと同様に、市販されているオーディオＣＤ等が検査用記録媒体６として使用できることから、より実用に即した検査が行えるため、検査精度も向上する。
【００４１】
なお、上記実施の形態では、ディスク記録モード及びトラック記録モードとも、任意な時間を指定して記録を行うようにしたが、指定時間を例えば１０秒に固定しておけば、情報記録装置を検査する際、その都度指定時間を設定する必要がないため、情報記録装置の検査がさらに能率よく行えるようになる。
【産業上の利用可能性】
【００４２】
本発明の情報記録装置は、ＣＤやＤＶＤ等の記録媒体に記録されているオーディオ情報を記録するのみならず、映像が記録された記録媒体より映像情報を記録する情報記録装置にも適用できる。
【図面の簡単な説明】
【００４３】
【図１】本発明の実施の形態になる情報記録装置のブロック図である。
【図２】本発明の実施の形態になる情報記録装置によりディスク記録モードで情報を記録する際の作用を示す説明図である。
【図３】本発明の実施の形態になる情報記録装置によりディスク記録モードで情報を記録する際の作用を示すフローチャートである。
【図４】本発明の実施の形態になる情報記録装置によりトラック記録モードで情報を記録する際の作用を示す説明図である。
【図５】本発明の実施の形態になる情報記録装置によりトラック記録モードで情報を記録する際の作用を示すフローチャートである。
【符号の説明】
【００４４】
１      制御手段
２      機構モジュール
３      操作手段
５      記録手段
６      記録媒体
【図１】
2005182908.tif 000003
【図２】
2005182908.tif 000004
【図３】
2005182908.tif 000005
【図４】
2005182908.tif 000006
【図５】
2005182908.tif 000007